(57)【要約】      （修正有）【課題】両手を使わずに、柄付き傘を差すことができる傘差し具を提供する。【解決手段】傘差し具は、傘差し箱と傘差し箱に取り付けられるベルト又はフックからなる。傘差し箱は、開口部を有する細長立方体で、左右両内面に、傘のＵ字形の握り部の両外周縁が添接する。【選択図】図１
0003158418.tif 000002
【実用新案登録請求の範囲】
【請求項１】
身体の前面に細長立方体の傘差し箱を設け、この傘差し箱の左右両内面に、傘のＵ字形の握り部の両外周縁を添接し、この添接状態で、この傘の柄が、前記身体の内方に傾く構造とした傘差し具。
【請求項２】
請求項１に記載の傘差し具であって、
前記傘差し箱にベルトを取付け、このベルトを前記身体の腰部から胸部の適所に、取付ける構成とした傘差し具。
【請求項３】
請求項１に記載の傘差し具であって、
前記傘差し箱にフックを取付け、このフックを、腰部のベルトに係止する構成とした傘差し具。
【請求項４】
請求項１に記載の傘差し具であって、
前記傘差し箱の前面に、表示板を取付ける構成とした傘差し具。
【考案の詳細な説明】
【技術分野】
【０００１】
本考案は両手を使わず一般の柄付き傘を差すことができるようにした傘差し具であり、さらに詳細に説明すると、傘差し箱と、ベルトを一体にした傘差し具であり、その寸法対比は、例えば、傘差し箱の縦、横寸法の比は、実績では、１対１．２が最良値であることが判明した。
【背景技術】
【０００２】
周知の如く、雨の日に一般に使われている柄付き傘を差す場合、左右どちらかの片手を使うため両手を使う作業時には不便である。この両手を使う作業としては、電気、ガス、水道等の検針がある。この検針は、野外の場合が多く、非常に不便を感ずること、作業能率が低下すること、等の改良点がある。
【０００３】
そこで、両手が使用できる傘差し具の先行文献を、以下に列挙する。
【０００４】
文献（１）は、実用新案登録第３０２５６１４号の「傘のホルダ」である。この考案は、ベルトの側面に傘の柄を収容可能なホルダ部を設けた構造であり、このホルダ部に真直ぐ柄を差込み支持する構造である。そして、この考案は、傘の柄を、腕で支持することを特徴とする。従って、傘の着装時において、両手は自由であるが、腕の動きが規制されることから、その自由度には限界がある。
【０００５】
また、文献（２）は、特開２０００−６０６２５の「固定バンドを利用した傘等のホルダ（変更する）」である。この発明は、肩と胸部に装着した固定バンドに、挾持用のホルダを設けた構造であり、その目的と特徴は、前記文献（１）に準ずる。
【０００６】
さらに、文献（３）は、特開２００８−７３４９３の「傘差し保持具」である。この発明は、腕を挟む弾性体クリップと、この弾性クリップに支持棒を介して設けた柄を把持する弾性体クリップでなる構造であり、その目的と特徴は、前記文献（１）に準ずる。
【０００７】
文献（４）は、特開２００５−７３９８０の「身体への傘支持用具」である。この発明は、肩掛けベルトに第一クランプバンドを、胸ベルトに第二クランプバンドをそれぞれ設け、この第一クランプバンドで柄を、この第二クランプバンドで握り部をそれぞれ保持する構造であり、その目的と特徴は、前記文献（１）に準ずる。
【０００８】
【特許文献１】実用新案登録第３０２５６１４号
【特許文献２】特開２０００−６０６２５
【特許文献３】特開２００８−７３４９３
【特許文献４】特開２００５−７３９８０
【考案の概要】
【考案が解決しようとする課題】
【０００９】
前記文献（１）〜文献（４）は、何れも、両手を自由とする構造であり、有益である。しかし、文献（１）では、腕の動きが規制されることから、その自由度には限界がある。また、文献（２）〜文献（４）は、腕の動きが規制されることは少ないが、傘を固定するため、複雑な手順と構造になっているので、取扱い面とか、経済性に改良の余地があり、十分でない。また、この文献（２）〜文献（４）は、傘をバンド等に固定する構造であり、突風等の異常時において、煽られる虞と、危険性を伴うことが考えられ、改良の余地がある。
【課題を解決するための手段】
【００１０】
請求項１の考案は、傘差し箱に、傘の握り部を差込む構成であるので、瞬時に、傘を保持すること、また、差込み構造であり、身体に傘を固定する構造でないので、突風等の異常時において、煽られる虞をなくすこと、また、身体に悪影響を与えず、安全を確保すること、等を意図する。また、請求項１の考案は、傘差し箱に、傘の握り部を差込むことで、その柄が身体の内側に向かって、僅か傾く構成としたので、傘の布地で、身体を有効にカバーし、かつ濡れ防止を図ること、柄を首筋で支持可能とすること、等を意図する。さらに、請求項１の考案は、傘差し箱に、この傘のＵ字形（釣り針状）の握り部を差込み、その両手で他の作業、所作ができることで、例えば、買い物帰りの降雪、降雨（雨とする）時に、その両手で荷物や杖をついて歩行が可能とすること、また、検針時に、片手でハンディに数値入力、もう一方の手に把持したペンで記録することを可能とし、かつ精密なハンディを雨水から保護すること、さらに、検針作業を降雪でも可能とすること、等を意図する。
【００１１】
請求項１は、身体の前面に細長立方体の傘差し箱を設け、この傘差し箱の左右両内面に、傘のＵ字形の握り部の両外周縁を添接し、この添接状態で、この傘の柄が、前記身体の内方に傾く構造とした傘差し具である。
【００１２】
請求項２・３の考案は、請求項１の目的を達成し、かつこの目的を達成するに最適な、傘差し箱の取付け構造を提案する。
【００１３】
請求項２は、請求項１に記載の傘差し具であって、
前記傘差し箱にベルトを取付け、このベルトを前記身体の腰部から胸部の適所に、取付ける構成とした傘差し具である。
【００１４】
請求項３は、請求項１に記載の傘差し具であって、
前記傘差し箱にフックを取付け、このフックを、腰部のベルトに係止する構成とした傘差し具である。
【００１５】
請求項４の考案は、請求項１の目的を達成し、かつこの傘差し具が他の目的を達成できる構造を提案する。
【００１６】
請求項４は、請求項１に記載の傘差し具であって、
前記傘差し箱の前面に、表示板を取付ける構成とした傘差し具である。
【考案の効果】
【００１７】
請求項１の考案は、身体の前面に細長立方体の傘差し箱を設け、傘差し箱の左右両内面に、傘のＵ字形の握り部の両外周縁を添接し、添接状態で、傘の柄が、身体の内方に傾く構造とした傘差し具である。
【００１８】
従って、請求項１は、下記の特徴がある。
【００１９】
［イ］  傘差し箱に、傘の握り部を差込む構成であるので、瞬時に、傘の保持ができること、また、差込み構造であり、身体に傘を固定する構造でないので、突風等の異常時において、煽られる虞をなく得ること、また、身体に悪影響を与えず、安全を確保できること、等である。
【００２０】
［ロ］  傘差し箱に、傘の握り部を差込むことで、その柄が身体の内側に向かって、僅か傾く構成としたので、傘の布地で、身体を有効にカバーし、かつ濡れ防止を図ること、柄を首筋で支持可能となること、等である。
【００２１】
［ハ］  傘差し箱に、この傘のＵ字形（釣り針状）の握り部を差込み、その両手で他の作業、所作ができることで、例えば、買い物帰りの降雪、降雨（雨とする）時に、その両手で荷物や杖をついて歩行が可能となること、また、検針時に、片手でハンディに数値入力、もう一方の手に把持したペンで記録することを可能とし、かつ精密なハンディを雨水から保護できること、さらに、検針作業を降雪でも可能となること、等である。
【００２２】
請求項２の考案は、請求項１に記載の傘差し具であって、
傘差し箱にベルトを取付け、ベルトを前記身体の腰部から胸部の適所に、取付ける構成とした傘差し具である。
【００２３】
請求項３の考案は、請求項１に記載の傘差し具であって、
傘差し箱にフックを取付け、フックを、腰部のベルトに係止する構成とした傘差し具である。
【００２４】
従って、請求項２・３は、下記の特徴がある。
【００２５】
［ニ］  請求項１の目的を達成できること。
【００２６】
［ホ］  この目的を達成するに最適な、傘差し箱の取付け構造を提案できる特徴がある。
【００２７】
請求項４の考案は、請求項１に記載の傘差し具であって、
傘差し箱の前面に、表示板を取付ける構成とした傘差し具である。
【００２８】
従って、請求項４は、下記の特徴がある。
【００２９】
［ニ］  請求項１の目的を達成できること。
【００３０】
［ヘ］  この傘差し具が他の目的を達成できる構造を提案できる特徴がある。
【図面の簡単な説明】
【００３１】
【図１】傘差し具を示した斜視図
【図２】傘差し具を示した平面図
【図３】傘差し具を示した一部欠截正面図
【図４】傘差し具を示した側面斜視図
【図５】傘差し具の収れんを示した斜視図
【図６】傘差し具を装着した状態を示した図
【図７】傘差し具を装着した状態を示した要部拡大図
【図８−１】傘差し具と、この傘差し具に差した（開いた）傘を差込んだ状態（身体の左側で支持）を示した図
【図８−２】傘差し具と、この傘差し具に差した（開いた）傘を差込んだ状態（身体の右側で支持）を示した図
【図９】図８−１の要部拡大模式図
【図１０】図８−１の要部拡大斜視図
【図１１】検針している使用状態を示した図
【考案を実施するための形態】
【００３２】
以下、本考案の傘差し具Ａについて、実施例を説明する。
【００３３】
傘差し具Ａは、細長立方体の傘差し箱１と後述するベルト５で構成され、この傘差し箱１には、傘２の握り部２００を差込み可能とすることから、傘２の大小と、形状等で異なるが、その標準的な寸法は、装着時において、その正面視して、下記の構造とする。尚、この寸法は、紳士用、日傘（婦人用）と、子供用を共用し、また、汎用の原則として、三種類とする。そして、この汎用の形態では、スペーサ（図示せず）を利用し、前記紳士用、日傘、子供用として利用することもできる。
0003158418.tif 000003
【００３４】
そして、図１、図２の如く、傘差し具Ａの傘差し箱１の左右両内面１ａ、１ｂには、傘２のＵ字形の握り部２００の両外周縁２００ａ、２００ｂが添接されることで、確実に、収容され、かつ傘２が支持される。そして、この支持状態で、この傘２の柄２０１が、僅か、身体Ｈの内方Ｈ１に傾く３構造とし、しかも柄２０１が、略首筋Ｈ２に近接か、又は接触する構造となる。これによって、傘２の握り部２００の傘差し箱１への差込みと、その柄２０１が、略首筋Ｈ２に近接か、又は接触する構造となり、安定した支持と、気持ちよく支持できる利点がある。また、少しの風雨であっても、開いた傘２が盲動することなく有益である。尚、握り部２００の両表裏周縁２００ｃ、２００ｄは、傘差し箱１の前後両内面１ｃ、１ｄに添接される構造であり、換言すると、この握り部２００は、傘差し箱１の全周内面１ａ〜１ｄに添接支持される構造である。そして、また、この傘差し箱１は、その開口部１ｅから、その底部１ｆに向かって、全内面１ａ〜１ｄ（その対峙側の内面１ａ、１ｂか、他の対峙側の内面１ｃ、１ｄの場合もあり）が収れんされている。この収れん構造では、握り部２００を、底部１ｆの上側による圧着を介して、挾持できる特徴がある。
【００３５】
そして、この傘差し箱１は、ベルト５を介して、身体Ｈの適所に取付けられる。また、このベルト５は、付設したフック、止め環等の止め具５００により、緊締と、開放が図れる。このベルト５は、図示のように、腰部Ｈ３あたりに軽く締めて（調整して）、開いた傘２の柄２０１が、傾く３構造とし、この柄２０１の上方が、略首筋Ｈ２に近接か、又は接触することを特徴とする。勿論、ベルト５は、自分の身体Ｈに合った高さの位置に取付け可能とする。尚、図示しないが、傘差し箱１にフック等を取付け、このフック等を、腰部Ｈ３のベルト（図示しない）に係止する（吊下げる）構成も可能である。
【００３６】
また、この傘差し箱１の前面１ｇに、表示板６を取付けることで、識別性と、広告効果とか、記念品、贈答品等として有効活用する。図中６００は広告表示を示す。
【００３７】
使用方法を説明すると、［ア］  傘差し具Ａのベルト５に備えた止め具５００の開放と緊締により、腰部Ｈ３に、ベルト５００を巻きつけるように、軽く締めて固定する（図６参照）。次に、［イ］  傘２を差して（開いて）、握り部２００を傘差し箱１に差込み、傘差し箱１の内面１ａ〜１ｄで添接支持をする（図８−１〜図１０参照）。これにより、［ウ］  傘差し箱１に添接支持された傘２の柄２０１が、略首筋Ｈ２に近接か、又は接触するし、不快感・不具合のない安定した支持ができるため、傘差し時においても、両手を自由に使うことができる。そして、傘２の傘差し具Ａからの取外しは、前述した［ア］〜［ウ］の取付け方法の逆の操作で可能であり、その説明は割愛する。
【００３８】
また、傘２の添接支持は、握り部２００を左右に反転させた場合（正面視して、柄２０１の向きを左右反対にした場合）にも、同様の添接支持が可能であるため、使用者は、傘２の柄２０１を、使いやすさと使用場所・使用状況に合わせて、身体Ｈの左側又は右側で支持するが適宜選択できる。従って、図８−１、８−２の如く、傘２の柄２０１を利き腕Ｈ４の反対側で支持することにより、より安全に、不便なく、様々な所作を行うことができる。
【符号の説明】
【００３９】
１              傘差し箱
１ａ            内面
１ｂ            内面
１ｃ            内面
１ｄ            内面
１ｅ            開口部
１ｆ            底部
１ｇ            前面
２              傘
２００          握り部
２００ａ        外周縁
２００ｂ        外周縁
２００ｃ        表周縁
２００ｄ        裏周縁
２０１          柄
３              傾く
５              ベルト
５００          止め具
６              表示板
６００          広告表示
Ａ              傘差し具
Ｈ              身体
Ｈ１            内方
Ｈ２            首筋
Ｈ３            腰部
Ｈ４            利き腕
【図１】
0003158418.tif 000004
【図２】
0003158418.tif 000005
【図３】
0003158418.tif 000006
【図４】
0003158418.tif 000007
【図５】
0003158418.tif 000008
【図６】
0003158418.tif 000009
【図７】
0003158418.tif 000010
【図８−１】
0003158418.tif 000011
【図８−２】
0003158418.tif 000012
【図９】
0003158418.tif 000013
【図１０】
0003158418.tif 000014
【図１１】
0003158418.tif 000015
【手続補正書】
【提出日】平成22年2月3日(2010.2.3)
【手続補正１】
【補正対象書類名】実用新案登録請求の範囲
【補正対象項目名】全文
【補正方法】変更
【補正の内容】
【実用新案登録請求の範囲】
【請求項１】
傘差し箱にベルトを取付けた傘差し具であって、
前記傘差し箱は、開口部を有する細長立方体で構成し、
前記開口部から傘のＵ字形の握り部を差込み可能とし、
前記傘差し箱の左右両内面に、前記傘のＵ字形の握り部の両外周縁が添接する構成とした傘差し具。
【請求項２】
傘差し箱にフックを取付けた傘差し具であって、
前記傘差し箱は、開口部を有する細長立方体で構成し、
前記開口部から傘のＵ字形の握り部を差込み可能とし、
前記傘差し箱の左右両内面に、前記傘のＵ字形の握り部の両外周縁が添接する構成とした傘差し具。
【請求項３】
請求項１又は請求項２に記載の傘差し具であって、
前記傘差し箱の前面に表示板を取付ける構成とした傘差し具。
【手続補正２】
【補正対象書類名】明細書
【補正対象項目名】全文
【補正方法】変更
【補正の内容】
【考案の詳細な説明】
【技術分野】
【０００１】
本考案は両手を使わず一般の柄付き傘を差すことができるようにした傘差し具であり、さらに詳細に説明すると、傘差し箱と、ベルトを一体にした傘差し具であり、その寸法対比は、例えば、傘差し箱の縦、横寸法の比は、実績では、１対１．２が最良値であることが判明した。
【背景技術】
【０００２】
周知の如く、雨の日に一般に使われている柄付き傘を差す場合、左右どちらかの片手を使うため両手を使う作業時には不便である。この両手を使う作業としては、電気、ガス、水道等の検針がある。この検針は、野外の場合が多く、非常に不便を感ずること、作業能率が低下すること、等の改良点がある。
【０００３】
そこで、両手が使用できる傘差し具の先行文献を、以下に列挙する。
【０００４】
文献（１）は、実用新案登録第３０２５６１４号の「傘のホルダ」である。この考案は、ベルトの側面に傘の柄を収容可能なホルダ部を設けた構造であり、このホルダ部に真直ぐ柄を差込み支持する構造である。そして、この考案は、傘の柄を、腕で支持することを特徴とする。従って、傘の着装時において、両手は自由であるが、腕の動きが規制されることから、その自由度には限界がある。
【０００５】
また、文献（２）は、特開２０００−６０６２５の「固定バンドを利用した傘等のホルダ（変更する）」である。この発明は、肩と胸部に装着した固定バンドに、挾持用のホルダを設けた構造であり、その目的と特徴は、前記文献（１）に準ずる。
【０００６】
さらに、文献（３）は、特開２００８−７３４９３の「傘差し保持具」である。この発明は、腕を挟む弾性体クリップと、この弾性クリップに支持棒を介して設けた柄を把持する弾性体クリップでなる構造であり、その目的と特徴は、前記文献（１）に準ずる。
【０００７】
文献（４）は、特開２００５−７３９８０の「身体への傘支持用具」である。この発明は、肩掛けベルトに第一クランプバンドを、胸ベルトに第二クランプバンドをそれぞれ設け、この第一クランプバンドで柄を、この第二クランプバンドで握り部をそれぞれ保持する構造であり、その目的と特徴は、前記文献（１）に準ずる。
【０００８】
【特許文献１】実用新案登録第３０２５６１４号
【特許文献２】特開２０００−６０６２５
【特許文献３】特開２００８−７３４９３
【特許文献４】特開２００５−７３９８０
【考案の概要】
【考案が解決しようとする課題】
【０００９】
前記文献（１）〜文献（４）は、何れも、両手を自由とする構造であり、有益である。しかし、文献（１）では、腕の動きが規制されることから、その自由度には限界がある。また、文献（２）〜文献（４）は、腕の動きが規制されることは少ないが、傘を固定するため、複雑な手順と構造になっているので、取扱い面とか、経済性に改良の余地があり、十分でない。また、この文献（２）〜文献（４）は、傘をバンド等に固定する構造であり、突風等の異常時において、煽られる虞と、危険性を伴うことが考えられ、改良の余地がある。
【課題を解決するための手段】
【００１０】
請求項１・２の考案は、傘差し箱に、傘の握り部を差込む構成であるので、瞬時に、傘を保持すること、また、差込み構造であり、身体に傘を固定する構造でないので、突風等の異常時において、煽られる虞をなくすこと、また、身体に悪影響を与えず、安全を確保すること、等を意図する。また、請求項１・２の考案は、傘差し箱に、傘の握り部を差込むことで、その柄が身体の内側に向かって、僅か傾く構成としたので、傘の布地で、身体を有効にカバーし、かつ濡れ防止を図ること、柄を首筋で支持可能とすること、等を意図する。さらに、請求項１・２の考案は、傘差し箱に、この傘のＵ字形（釣り針状）の握り部を差込み、その両手で他の作業、所作ができることで、例えば、買い物帰りの降雪、降雨（雨とする）時に、その両手で荷物や杖をついて歩行が可能とすること、また、検針時に、片手でハンディに数値入力、もう一方の手に把持したペンで記録することを可能とし、かつ精密なハンディを雨水から保護すること、さらに、検針作業を降雪でも可能とすること、また、最適な、傘差し箱の取付け構造を提案できる等を意図する。
【００１１】
請求項１は、傘差し箱にベルトを取付けた傘差し具であって、前記傘差し箱は、開口部を有する細長立方体で構成し、前記開口部から傘のＵ字形の握り部を差込み可能とし、前記傘差し箱の左右両内面に、前記傘のＵ字形の握り部の両外周縁が添接する構成とした傘差し具である。
【００１２】
請求項２は、傘差し箱にフックを取付けた傘差し具であって、前記傘差し箱は、開口部を有する細長立方体で構成し、前記開口部から傘のＵ字形の握り部を差込み可能とし、前記傘差し箱の左右両内面に、前記傘のＵ字形の握り部の両外周縁が添接する構成とした傘差し具である。
【００１３】
請求項３は、請求項１又は請求項２の目的を達成できること、また、この傘差し具が他の目的を達成できる構造を提案できる特徴がある。
【００１４】
請求項３は、請求項１又は請求項２に記載の傘差し具であって、前記傘差し箱の前面に表示板を取付ける構成とした傘差し具である。
【００１５】
【００１６】
【考案の効果】
【００１７】
請求項１の考案は、傘差し箱にベルトを取付けた傘差し具であって、傘差し箱は、開口部を有する細長立方体で構成し、開口部から傘のＵ字形の握り部を差込み可能とし、傘差し箱の左右両内面に、傘のＵ字形の握り部の両外周縁が添接する構成とした傘差し具である。
【００１８】
請求項２の考案は、傘差し箱にフックを取付けた傘差し具であって、傘差し箱は、開口部を有する細長立方体で構成し、開口部から傘のＵ字形の握り部を差込み可能とし、傘差し箱の左右両内面に、傘のＵ字形の握り部の両外周縁が添接する構成とした傘差し具である。
【００１９】
従って、請求項１・２は、下記の特徴がある。
【００２０】
［イ］  傘差し箱に、傘の握り部を差込む構成であるので、瞬時に、傘の保持ができること、また、差込み構造であり、身体に傘を固定する構造でないので、突風等の異常時において、煽られる虞をなく得ること、また、身体に悪影響を与えず、安全を確保できること、等である。
【００２１】
［ロ］  傘差し箱に、傘の握り部を差込むことで、その柄が身体の内側に向かって、僅か傾く構成としたので、傘の布地で、身体を有効にカバーし、かつ濡れ防止を図ること、柄を首筋で支持可能となること、等である。
【００２２】
［ハ］  傘差し箱に、この傘のＵ字形（釣り針状）の握り部を差込み、その両手で他の作業、所作ができることで、例えば、買い物帰りの降雪、降雨（雨とする）時に、その両手で荷物や杖をついて歩行が可能となること、また、検針時に、片手でハンディに数値入力、もう一方の手に把持したペンで記録することを可能とし、かつ精密なハンディを雨水から保護できること、さらに、検針作業を降雪でも可能となること、また、最適な、傘差し箱の取付け構造を提案できる等である。
【００２３】
請求項３の考案は、請求項１又は請求項２に記載の傘差し具であって、傘差し箱の前面に表示板を取付ける構成とした傘差し具である。
【００２４】
従って、請求項３は、下記の特徴がある。
【００２５】
［ニ］  請求項１又は請求項２の目的を達成できること。
【００２６】
［ホ］  この傘差し具が他の目的を達成できる構造を提案できる特徴がある。
【００２７】
【００２８】
【００２９】
【００３０】
【図面の簡単な説明】
【００３１】
【図１】傘差し具を示した斜視図
【図２】傘差し具を示した平面図
【図３】傘差し具を示した一部欠截正面図
【図４】傘差し具を示した側面斜視図
【図５】傘差し具の収れんを示した斜視図
【図６】傘差し具を装着した状態を示した図
【図７】傘差し具を装着した状態を示した要部拡大図
【図８−１】傘差し具と、この傘差し具に差した（開いた）傘を差込んだ状態（身体の左側で支持）を示した図
【図８−２】傘差し具と、この傘差し具に差した（開いた）傘を差込んだ状態（身体の右側で支持）を示した図
【図９】図８−１の要部拡大模式図
【図１０】図８−１の要部拡大斜視図
【図１１】検針している使用状態を示した図
【考案を実施するための形態】
【００３２】
以下、本考案の傘差し具Ａについて、実施例を説明する。
【００３３】
傘差し具Ａは、細長立方体の傘差し箱１と後述するベルト５で構成され、この傘差し箱１には、傘２の握り部２００を差込み可能とすることから、傘２の大小と、形状等で異なるが、その標準的な寸法は、装着時において、その正面視して、下記の構造とする。尚、この寸法は、紳士用、日傘（婦人用）と、子供用を共用し、また、汎用の原則として、三種類とする。そして、この汎用の形態では、スペーサ（図示せず）を利用し、前記紳士用、日傘、子供用として利用することもできる。
0003158418.tif 000016
【００３４】
そして、図１、図２の如く、傘差し具Ａの傘差し箱１の左右両内面１ａ、１ｂには、傘２のＵ字形の握り部２００の両外周縁２００ａ、２００ｂが添接されることで、確実に、収容され、かつ傘２が支持される。そして、この支持状態で、この傘２の柄２０１が、僅か、身体Ｈの内方Ｈ１に傾く３構造とし、しかも柄２０１が、略首筋Ｈ２に近接か、又は接触する構造となる。これによって、傘２の握り部２００の傘差し箱１への差込みと、その柄２０１が、略首筋Ｈ２に近接か、又は接触する構造となり、安定した支持と、気持ちよく支持できる利点がある。また、少しの風雨であっても、開いた傘２が盲動することなく有益である。尚、握り部２００の両表裏周縁２００ｃ、２００ｄは、傘差し箱１の前後両内面１ｃ、１ｄに添接される構造であり、換言すると、この握り部２００は、傘差し箱１の全周内面１ａ〜１ｄに添接支持される構造である。そして、また、この傘差し箱１は、その開口部１ｅから、その底部１ｆに向かって、全内面１ａ〜１ｄ（その対峙側の内面１ａ、１ｂか、他の対峙側の内面１ｃ、１ｄの場合もあり）が収れんされている。この収れん構造では、握り部２００を、底部１ｆの上側による圧着を介して、挾持できる特徴がある。
【００３５】
そして、この傘差し箱１は、ベルト５を介して、身体Ｈの適所に取付けられる。また、このベルト５は、付設したフック、止め環等の止め具５００により、緊締と、開放が図れる。このベルト５は、図示のように、腰部Ｈ３あたりに軽く締めて（調整して）、開いた傘２の柄２０１が、傾く３構造とし、この柄２０１の上方が、略首筋Ｈ２に近接か、又は接触することを特徴とする。勿論、ベルト５は、自分の身体Ｈに合った高さの位置に取付け可能とする。尚、図示しないが、傘差し箱１にフック等を取付け、このフック等を、腰部Ｈ３のベルト（図示しない）に係止する（吊下げる）構成も可能である。
【００３６】
また、この傘差し箱１の前面１ｇに、表示板６を取付けることで、識別性と、広告効果とか、記念品、贈答品等として有効活用する。図中６００は広告表示を示す。
【００３７】
使用方法を説明すると、［ア］  傘差し具Ａのベルト５に備えた止め具５００の開放と緊締により、腰部Ｈ３に、ベルト５００を巻きつけるように、軽く締めて固定する（図６参照）。次に、［イ］  傘２を差して（開いて）、握り部２００を傘差し箱１に差込み、傘差し箱１の内面１ａ〜１ｄで添接支持をする（図８−１〜図１０参照）。これにより、［ウ］  傘差し箱１に添接支持された傘２の柄２０１が、略首筋Ｈ２に近接か、又は接触するし、不快感・不具合のない安定した支持ができるため、傘差し時においても、両手を自由に使うことができる。そして、傘２の傘差し具Ａからの取外しは、前述した［ア］〜［ウ］の取付け方法の逆の操作で可能であり、その説明は割愛する。
【００３８】
また、傘２の添接支持は、握り部２００を左右に反転させた場合（正面視して、柄２０１の向きを左右反対にした場合）にも、同様の添接支持が可能であるため、使用者は、傘２の柄２０１を、使いやすさと使用場所・使用状況に合わせて、身体Ｈの左側又は右側で支持するが適宜選択できる。従って、図８−１、８−２の如く、傘２の柄２０１を利き腕Ｈ４の反対側で支持することにより、より安全に、不便なく、様々な所作を行うことができる。
【符号の説明】
【００３９】
１              傘差し箱
１ａ            内面
１ｂ            内面
１ｃ            内面
１ｄ            内面
１ｅ            開口部
１ｆ            底部
１ｇ            前面
２              傘
２００          握り部
２００ａ        外周縁
２００ｂ        外周縁
２００ｃ        表周縁
２００ｄ        裏周縁
２０１          柄
３              傾く
５              ベルト
５００          止め具
６              表示板
６００          広告表示
Ａ              傘差し具
Ｈ              身体
Ｈ１            内方
Ｈ２            首筋
Ｈ３            腰部
Ｈ４            利き腕